(57)【要約】【課題】入力ＲＧＢデータを入力ＷＲＧＢデータに変更し、入力ＷＲＧＢデータを構成するＷ、Ｒ、Ｇ、Ｂデータの中、何れか一つを０に変換することによって生成されたデータと、０に変換されたデータに対する位置情報を含んでいるＷＲＧＢデータを生成し、ソースドライブＩＣに伝送することができる、タイミングコントローラー及びその駆動方法とこれを用いた平板表示装置を提供する。【解決手段】外部システムから入力ＲＧＢデータを受信する受信部、入力ＲＧＢデータを入力ＷＲＧＢデータに変換する変換部、入力ＷＲＧＢデータを構成するＷ、Ｒ、Ｇ、Ｂデータの中、何れか一つを０に変換し、それらの総ビット数より少ないビット数を有する変換ＷＲＧＢデータを生成する整列部、変換ＷＲＧＢデータにダミービットを追加しＷＲＧＢデータを生成した後ＷＲＧＢデータをソースドライブＩＣに出力するＥＰＩ送信部、を含む。【選択図】図４
2014066990.tif 000002
【特許請求の範囲】
【請求項１】
外部システムから入力ＲＧＢデータを受信するための受信部と、
前記入力ＲＧＢデータを入力ＷＲＧＢデータに変換するための変換部と、
前記入力ＷＲＧＢデータを構成するホワイトデータＷ、レッドデータＲ、グリーンデータＧ、ブルーデータＢの中、何れか一つを０に変換し、前記ホワイトデータＷ、レッドデータＲ、グリーンデータＧ、ブルーデータＢを構成する総ビット数より少ないビット数を有する変換ＷＲＧＢデータを生成するための整列部と、
前記変換ＷＲＧＢデータにダミービットを追加することによりＷＲＧＢデータを生成した後、前記ＷＲＧＢデータをソースドライブＩＣに出力するためのＥＰＩ送信部と、を含むタイミングコントローラー。
【請求項２】
前記整列部は、
前記入力ＷＲＧＢデータを構成するホワイトデータＷ、レッドデータＲ、グリーンデータＧ、ブルーデータＢの中、何れか一つを０に変換し、その他のデータを前記変換によって新しい値に変換し、０に変換されたデータを示す位置情報を生成し、前記変換ＷＲＧＢデータを生成することを特徴とする、請求項１に記載のタイミングコントローラー。
【請求項３】
前記整列部は、
１０ビットで構成されている前記ホワイトデータＷ、レッドデータＲ、グリーンデータＧ、ブルーデータＢの中、何れか一つを０に変換し、その他のデータを前記変換によって新しい値に変換し、０に変換されたデータを示す位置情報を２ビットで生成し、３２ビットの前記変換ＷＲＧＢデータを生成することを特徴とする、請求項１に記載のタイミングコントローラー。
【請求項４】
前記ＥＰＩ送信部は、
前記３２ビットの前記変換ＷＲＧＢデータに４ビットを追加させて３６ビットの前記ＷＲＧＢデータを生成した後、前記ＷＲＧＢデータを前記ソースドライブＩＣに出力することを特徴とする、請求項３に記載のタイミングコントローラー。
【請求項５】
外部システムから入力ＲＧＢデータとタイミング信号を受信する段階と、
前記入力ＲＧＢデータを入力ＷＲＧＢデータに変換する段階と、
前記入力ＷＲＧＢデータを構成するホワイトデータＷ、レッドデータＲ、グリーンデータＧ、ブルーデータＢの中、何れか一つを０に変換し、前記ホワイトデータＷ、レッドデータＲ、グリーンデータＧ、ブルーデータＢを構成する総ビット数より少ないビット数を有する変換ＷＲＧＢデータを生成する段階と、
前記変換ＷＲＧＢデータにダミービットを追加することによりＷＲＧＢデータを生成した後、前記ＷＲＧＢデータをソースドライブＩＣに出力する段階と、を含むタイミングコントローラー駆動方法。
【請求項６】
前記入力ＷＲＧＢデータを変換して前記変換ＷＲＧＢデータを生成する段階は、
１０ビットで構成されている前記ホワイトデータＷ、レッドデータＲ、グリーンデータ Ｇ、ブルーデータＢの中、何れか一つを０に変換し、その他のデータを前記変換によって新しい値に変換し、０に変換されたデータを示す位置情報を２ビットで生成し、３２ビットの前記変換ＷＲＧＢデータを生成することを特徴とする、請求項５に記載のタイミングコントローラー駆動方法。
【請求項７】
請求項１乃至請求項４の中、何れか一項に記載の前記タイミングコントローラーと、
データラインとゲートラインが形成されているパネルと、
前記タイミングコントローラーから伝送される前記ＷＲＧＢデータをアナログのＷＲＧＢ映像信号に変換して、前記データラインに出力するための少なくても一つ以上のソースドライブＩＣと、
前記タイミングコントローラーから伝送される制御信号に応じてスキャン信号を生成して、前記ゲートラインに出力するための少なくても一つ以上のゲートドライブＩＣと、を含む平板表示装置。
【請求項８】
前記タイミングコントローラーは、
ＥＰＩ方式を用いて前記ＷＲＧＢデータを前記ソースドライブＩＣに伝送することを特徴とする、請求項７に記載の平板表示装置。
【請求項９】
前記タイミングコントローラーは、
前記パネルがＲＧＢピクセル構造に形成された場合、前記ＷＲＧＢデータを生成する代わりに、前記入力ＲＧＢデータをＲＧＢデータに変換し、この変換された前記ＲＧＢデータを前記ソースドライブＩＣに伝送し、
前記ソースドライブＩＣは、前記ＲＧＢデータをアナログのＲＧＢ映像信号に変換して、前記データラインに出力することを特徴とする、請求項７に記載の平板表示装置。
【請求項１０】
前記ＲＧＢデータは、前記ＷＲＧＢデータのビット数と同一なビット数を有することを特徴とする、請求項９に記載の平板表示装置。
【発明の詳細な説明】
【技術分野】
【０００１】
本発明は、タイミングコントローラー及びこれを用いた液晶表示装置に関し、特に、ＲＧＢデータの入力を受けてＷＲＧＢデータを出力するタイミングコントローラー及びその駆動方法とこれを用いた液晶表示装置に関する。
【背景技術】
【０００２】
携帯電話（Ｍｏｂｉｌｅ  Ｐｈｏｎｅ）、ＰＤＡ、ノートパソコンのような各種のポータブル電子機器の発展に従って、これらに適用できる平板表示装置（Ｆｌａｔ  Ｄｉｓｐｌａｙ  Ｄｅｖｉｃｅ）に対する要求が増大している。
【０００３】
平板表示装置として、液晶表示装置（Ｌｉｑｕｉｄ  Ｃｒｙｓｔａｌ  Ｄｉｓｐｌａｙ  Ｄｅｖｉｃｅ）、プラズマディスプレイ液晶パネル（Ｐｌａｓｍａ  Ｄｉｓｐｌａｙ  Ｐａｎｅｌ）、電界放出表示装置（Ｆｉｅｌｄ  Ｅｍｉｓｓｉｏｎ  Ｄｉｓｐｌａｙ  Ｄｅｖｉｃｅ）、発光表示装置（Ｌｉｇｈｔ  Ｅｍｉｔｔｉｎｇ  Ｄｉｓｐｌａｙ  Ｄｅｖｉｃｅ）などの研究が活発に行われている。
【０００４】
この中で、液晶表示装置（ＬＣＤ）は、液晶の光学的異方性を用いて画像を表示する装置であって、薄型、小型、低消費電力、及び高画質などの利点を有しているため、広く利用されている。
【０００５】
図１は、従来の液晶表示装置に適用されるタイミングコントローラーのＥＰＩ送信部からソースドライブＩＣにＲＧＢデータを送信するためのタイミングを示す例示図であり、図２は、従来の液晶表示装置に適用されるタイミングコントローラーのＥＰＩ送信部からソースドライブＩＣにＷＲＧＢデータを送信するためのタイミングを示す例示図である。
【０００６】
液晶表示装置は、タイミングコントローラー、ソースドライブＩＣ、ゲートドライブＩＣ、パネルを含んでいる。
【０００７】
一般的に、液晶表示装置のパネルは、カラーを具現するために、Ｒサブピクセル、Ｇサブピクセル、Ｂサブピクセルを含んでおり、このために、外部システム（例えば、テレビセット）から液晶表示装置のタイミングコントローラーに入力ＲＧＢデータが入力される。この場合、タイミングコントローラーは入力ＲＧＢデータを前記パネルの特性に合わせて整列し、この整列されたＲＧＢデータを前記ソースドライブＩＣに出力する。前記ソースドライブＩＣは前記タイミングコントローラーから受信された前記デジタルＷＲＧＢデータをアナログＷＲＧＢ信号に変換してパネルを通じて出力する。
【０００８】
最近は、液晶表示装置の輝度を高めるためにＲＧＢ３原色のサブピクセルに加えて白色光を透過させるホワイト（Ｗｈｉｔｅ）サブピクセルを追加したＷＲＧＢピクセル構造の液晶表示装置が開発されている。ＷＲＧＢピクセル構造を有している液晶表示装置のタイミングコントローラーが、外部システムから入力された入力ＲＧＢデータをＷＲＧＢデータに変換し、この変換された前記ＷＲＧＢデータを前記ソースドライブＩＣに出力する。前記ソースドライブＩＣは、前記タイミングコントローラーから受信された前記デジタルＷＲＧＢデータをアナログＷＲＧＢ映像信号に変換し、パネルを通じて出力する。
【０００９】
前記２つの場合において、前記タイミングコントローラーで変換された前記ＷＲＧＢデータは、ｍｉｎｉ−ＬＶＤＳまたはＥＰＩなどの様々なインターフェースを通じて、前記ソースドライブＩＣに伝送される。最近は、ＥＰＩが前記タイミングコントローラーと前記ソースドライブＩＣのインターフェースとして広く利用されている。
【００１０】
先ず、図１は、前記タイミングコントローラーが前記入力ＲＧＢデータの入力を受けて、前記ソースドライブＩＣにＲＧＢデータを伝送する場合に、前記ＥＰＩ方式を用いる前記タイミングコントローラーのＥＰＩ送信部が、前記ＲＧＢデータを前記ソースドライブＩＣに伝送する時に発生するタイミングを示す図である。
【００１１】
即ち、前記ＲＧＢデータを構成するＲ、Ｇ、Ｂデータのそれぞれが１０ビットで構成された場合、前記ＥＰＩ送信部は、３０ビット（Ｂｉｔ）の並列データ（Ｐａｒａｌｌｅｌ  Ｄａｔａ）をＥＰＩ プロトコル（Ｐｒｏｔｏｃｏｌ）に合わせて３４ビットずつ前記ソースドライブＩＣに伝送する。付け加えると、前記ＥＰＩ送信部は、３０ビットの前記入力ＲＧＢデータに４ビットのダミービットが追加された３４ビットのＲＧＢデータを前記ソースドライブＩＣに伝送する。
【００１２】
この場合、前記ＥＰＩ送信部の最大データ伝送率は、後述する数式１に記載のように、１.１５６Ｇｂｐｓになる。即ち、データクロックの最大周波数（Ｄａｔａ  Ｆｒｅｑ  Ｍａｘ）が８５ＭＨｚであり、前記ＲＧＢデータ（Ｄａｔａ  ｕｎｉｔ）が３４ビットで構成され、４個のポートを通じて前記ＲＧＢデータが前記ソースドライブＩＣに伝送され、前記ソースドライブＩＣ（ＥＰＩ  ｐｏｒｔ）が１０個である場合、最大データ伝送率は１.１５６Ｇｂｐｓになる。
【００１３】
【数１】
2014066990.tif 000003
【００１４】
このような最大データ伝送率は、前記ＥＰＩ送信部及び前記ソースドライブＩＣの最大データ伝送率である１.６Ｇｂｐｓの範囲に含まれる。よって、前記ＲＧＢデータは前記ソースドライブＩＣに正常に伝送されることができる。
【００１５】
次に、図２は、前記タイミングコントローラーが前記入力ＲＧＢデータの入力を受けて、前記入力ＲＧＢデータを前記ＷＲＧＢデータに変換した後、前記ソースドライブＩＣに前記ＷＲＧＢデータを伝送する場合に、前記ＥＰＩ方式を用いる前記タイミングコントローラーのＥＰＩ送信部が、前記ＷＲＧＢデータを前記ソースドライブＩＣに伝送する時に発生されるタイミングを示す図である。
【００１６】
即ち、前記ＲＧＢデータを構成するＲ、Ｇ、Ｂデータのそれぞれが１０ビットで構成された場合、前記タイミングコントローラーは３０ビットの前記ＲＧＢデータを４０ビット（Ｂｉｔ）のＷＲＧＢデータに変換させ、前記ＥＰＩ送信部は、４０ビットの並列データ（Ｐａｒａｌｌｅｌ  Ｄａｔａ）を２０ビットの単位で分割した後、ＥＰＩプロトコル（Ｐｒｏｔｏｃｏｌ）に合わせて２０ビットずつ前記ソースドライブＩＣに伝送する。付け加えると、前記ＥＰＩ送信部は、４０ビットの前記ＲＧＢデータを２０ビットの単位で分割した後、ダミービットが含まれた２４ビットの前記ＷＲＧＢデータを前記ソースドライブＩＣに伝送する。
【００１７】
この場合、前記ＥＰＩ送信部の最大データ伝送率は、後述する数式２に記載のように、１.６３２Ｇｂｐｓになる。即ち、データクロックの最大周波数（Ｄａｔａ  Ｆｒｅｑ  Ｍａｘ）が８５ＭＨｚであり、前記ＷＲＧＢデータ（Ｄａｔａ  ｕｎｉｔ）が２４ビットで構成され、４個のポートを通じて前記ＲＧＢデータが前記ソースドライブＩＣに伝送され、２個の伝送路があり、前記ソースドライブＩＣ（ＥＰＩ  ｐｏｒｔ）が１０個である場合、最大データ伝送率は１.６３２Ｇｂｐｓになる。
【００１８】
【数２】
2014066990.tif 000004
【００１９】
このような最大データ伝送率は、前記ＥＰＩ送信部及び前記ソースドライブＩＣの最大データ伝送率である１.６Ｇｂｐｓの範囲を超過する。よって、前記ＷＲＧＢデータは前記ソースドライブＩＣに正常に伝送されることができない。
【００２０】
従って、ＷＲＧＢデータを用いる液晶表示装置の場合、入力データクロック（Ｄａｔａ  Ｃｌｏｃｋ）を制限しており、ＲＧＢデータを用いる液晶表示装置とは異なるデータクロックレンジ（Ｄａｔａ  Ｃｌｏｃｋ  Ｒａｎｇｅ）を用いている。
【００２１】
即ち、前記ＷＲＧＢデータを伝送するためには、前記ＲＧＢデータを伝送する時より、前記ＥＰＩ送信部及び前記ソースドライブＩＣが高速に駆動される必要がある。しかし、前記のように、ＷＲＧＢデータを伝送するために要求される最大データ伝送率が前記ＥＰＩ送信部及び前記ソースドライブＩＣの最大データ伝送率の範囲を超過するため、実質的にＷＲＧＢデータが伝送され難い。
【００２２】
また、前記ＲＧＢデータを伝送する場合のデータフォーマット（３４ビット）と、前記ＷＲＧＢデータを伝送する場合のデータフォーマット（２４ビット）が互に異なるため、前記ＥＰＩ送信部及び前記ソースドライブが、前記ＲＧＢデータを用いる液晶表示装置と、前記ＷＲＧＢデータを用いる液晶表示装置に共用されることも不可能である。
【００２３】
さらに、前記ＲＧＢデータの伝送のためのＥＰＩ送信部及びソースドライブＩＣと、前記ＷＲＧＢデータの伝送のためのＥＰＩ送信部及びソースドライブＩＣが個別的に設計及び開発されるべきであれば、液晶表示装置の製造費用が上昇するしかない。
【００２４】
また、図２に示すように、２４ビットの前記ＷＲＧＢデータを伝送する場合には、伝送ユニット（ｕｎｉｔ）の１番目（１ｓｔ）と最後（ｌａｓｔ）との間のジッター（ｊｉｔｔｅｒ）が激しく発生する可能性がある。
【００２５】
一方、前記のような現象は、液晶表示装置の他にも、前記のようなタイミングコントローラー及びソースドライブＩＣと、ＥＰＩ方式を用いている他の種類の平板表示装置からも発生される可能性がある。
【先行技術文献】
【特許文献】
【００２６】
【特許文献１】特開２０１２−１２８０９５号公報
【発明の概要】
【発明が解決しようとする課題】
【００２７】
本発明は、前述の問題点を解決するために提案されたものであり、入力ＲＧＢデータを入力ＷＲＧＢデータに変更し、入力ＷＲＧＢデータを構成するＷ、Ｒ、Ｇ、Ｂデータの中、何れか一つを０に変換することによって生成されたデータと、０に変換されたデータに対する位置情報を含んでいるＷＲＧＢデータを生成して、ソースドライブＩＣに伝送することができる、タイミングコントローラー及びその駆動方法とこれを用いた平板表示装置を提供することを技術的課題にする。
【課題を解決するための手段】
【００２８】
前述の技術的課題を達成するための本発明によるタイミングコントローラーは、外部システムから入力ＲＧＢデータを受信するための受信部と、入力ＲＧＢデータを入力ＷＲＧＢデータに変換させるための変換部と、入力ＷＲＧＢデータを構成するホワイトデータＷ、レッドデータＲ、グリーンデータＧ、ブルーデータＢの中、何れか一つを０に変換させて、ホワイトデータＷ、レッドデータＲ、グリーンデータＧ、ブルーデータＢを構成する総ビット数より少ないビット数を有する変換ＷＲＧＢデータを生成するための整列部と、変換ＷＲＧＢデータにダミービットを追加させてＷＲＧＢデータを生成した後、ＷＲＧＢデータをソースドライブＩＣに出力するためのＥＰＩ送信部と、を含む。
【００２９】
前述の技術的課題を達成するための本発明によるタイミングコントローラー駆動方法は、外部システムから入力ＲＧＢデータとタイミング信号を受信する段階と、入力ＲＧＢデータを入力ＷＲＧＢデータに変換させる段階と、入力ＷＲＧＢデータを構成するホワイトデータＷ、レッドデータＲ、グリーンデータＧ、ブルーデータＢの中、何れか一つを０に変換させて、ホワイトデータＷ、レッドデータＲ、グリーンデータＧ、ブルーデータＢを構成する総ビット数より少ないビット数を有する変換ＷＲＧＢデータを生成する段階と、変換ＷＲＧＢデータにダミービットを追加させてＷＲＧＢデータを生成した後、ＷＲＧＢデータをソースドライブＩＣに出力する段階と、を含む。
【００３０】
前述の技術的課題を達成するための本発明による液晶表示装置は、タイミングコントローラーと、データラインとゲートラインが形成されているパネルと、タイミングコントローラーから伝送されて来たＷＲＧＢデータをアナログのＷＲＧＢ映像信号に変換して、データラインに出力するための少なくても一つ以上のソースドライブＩＣと、タイミングコントローラーから伝送されて来た制御信号に応じてスキャン信号を生成して、ゲートラインに出力するための少なくても一つ以上のゲートドライブＩＣと、を含む。
【発明の効果】
【００３１】
本発明は、入力ＲＧＢデータを入力ＷＲＧＢデータに変更し、入力ＷＲＧＢデータを構成するＷ、Ｒ、Ｇ、Ｂデータの中、何れか一つを０に変換することによって生成されたデータと、０に変換されたデータに対する位置情報を含んでいるＷＲＧＢデータを生成して、ソースドライブＩＣに伝送することで、ＲＧＢデータを送受信する場合と、ＷＲＧＢデータを送受信する場合との両方共に適用可能である。
【００３２】
また、本発明は、従来の技術に比べて、ＷＲＧＢデータを伝送するためのデータ伝送率が２５％低減することができる。
【００３３】
従って、本発明によると、一つのソースドライブＩＣ及び一つのタイミングコントローラーが、ＲＧＢデータ及びＷＲＧＢデータの送受信のために共通的に使用することができるため、ソースドライブＩＣの共用化のための設計が可能である。
【図面の簡単な説明】
【００３４】
【図１】従来の液晶表示装置に適用されるタイミングコントローラーのＥＰＩ送信部からソースドライブＩＣにＲＧＢデータを送信するためのタイミングを示す例示図である。
【図２】従来の液晶表示装置に適用されるタイミングコントローラーのＥＰＩ送信部からソースドライブＩＣにＷＲＧＢデータを送信するためのタイミングを示す例示図である。
【図３】本発明の実施例によるタイミングコントローラーを用いた液晶表示装置の構成を示す例示図である。
【図４】本発明の実施例によるタイミングコントローラーの内部の構成を詳細に示す例示図である。
【図５】本発明の実施例によるタイミングコントローラーが入力ＲＧＢデータを変換ＷＲＧＢデータに変換させる方法を説明するための例示図である。
【図６】本発明の実施例によるタイミングコントローラーがソースドライブＩＣにＲＧＢデータまたはＷＲＧＢデータを送信するためのタイミングを示す例示図である。
【図７】本発明の実施例によるタイミングコントローラーの内部の構成を詳細に示す他の例示図である。
【発明を実施するための形態】
【００３５】
以下、添付の図面を参照して、本発明の実施例について詳細に説明する。
【００３６】
図３は、本実施例によるタイミングコントローラーを用いた液晶表示装置の構成を示す例示図である。
【００３７】
本実施例によるタイミングコントローラー４００は、入力ＲＧＢデータから変換されたＷＲＧＢデータに駆動される液晶表示装置（ＬＣＤ）及び前記ＷＲＧＢデータに駆動される有機発光表示装置（ＯＬＥＤ）の両方共に適用可能である。しかし、以下では、説明の便宜のため、液晶表示装置を本実施例による平板表示装置の一例として本実施例を説明する。
【００３８】
本実施例による液晶表示装置は、図３に示すように、パネル１００、パネル１００のゲートラインを駆動するための少なくても一つ以上のゲートドライブＩＣ（ＧＤＩＣ#〜ＧＤＩＣ#４）２００、パネル１００のデータラインを駆動するための少なくても一つ以上のソースドライブＩＣ（ＳＤＩＣ#１〜ＳＤＩＣ#８）３００、及びゲートドライブＩＣ２００とソースドライブＩＣ３００を制御するためのタイミングコントローラー４００を含んで構成されることができる。
【００３９】
まず、パネル１００は、ゲートラインとデータライン（ＤＬ１ないしＤＬｍ）との交差として定義される領域毎に形成された、薄膜トランジスター（ＴＦＴ）と、画素電極を含むピクセルと、を具備する。
【００４０】
前記薄膜トランジスター（ＴＦＴ）は、前記ゲートラインからのスキャン信号に応じて前記データラインから伝送された映像信号を前記画素電極に供給する。前記画素電極は前記映像信号に応じて共通電極との間に位置する液晶を駆動することで光の透過率を調節する。
【００４１】
本実施例に適用されるパネルの液晶モードは、ＴＮモード、ＶＡモード、ＩＰＳモード、ＦＦＳモードだけではなく、如何なる種類の液晶モードでも可能である。また、本実施例による液晶表示装置は、透過型液晶表示装置、半透過型液晶表示装置、反射型液晶表示装置など、如何なる形態でも具現可能である。
【００４２】
特に、本実施例に適用されるパネルはＷＲＧＢピクセル構造を有している。即ち、本実施例に適用されるパネルは、液晶表示装置の輝度を高めるため、ＲＧＢ３原色のサブピクセルに加えて、白色光を透過させるホワイト（Ｗｈｉｔｅ）サブピクセルをさらに具備している。ここで、ＷＲＧＢのピクセル構造は様々な形態で形成されることができる。
【００４３】
次に、タイミングコントローラー４００は、外部システムから入力されるタイミング信号、即ち、垂直同期信号（Ｖｓｙｎｃ）、水平同期信号（Ｈｓｙｎｃ）、及びデータイネーブル信号（ＤＥ）などを用いて、ゲートドライブＩＣ２００の動作タイミングを制御するためのゲート制御信号ＧＣＳと、ソースドライブＩＣ３００の動作タイミングを制御するためのデータ制御信号ＤＣＳと、を生成し、ソースドライブＩＣ３００に伝送されるＷＲＧＢデータを生成する。
【００４４】
タイミングコントローラー４００は、ＥＰＩ(Ｅｍｂｅｄｄｅｄ  Ｃｌｏｃｋ  Ｐｏｉｎｔ-Ｐｏｉｎｔ  Ｉｎｔｅｒｆａｃｅ）方式のインターフェースを用いて、ソースドライブＩＣ３００に前記ＷＲＧＢデータを伝送する。
【００４５】
一方、本実施例によるタイミングコントローラー４００は、前記外部システムから伝送されて来た入力ＲＧＢデータを、パネル１００のＷＲＧＢピクセル構造に合わせてＷＲＧＢデータに変換し、ソースドライブＩＣ３００に伝送するためのものであって、ソースドライブＩＣ３００はＲＧＢデータの受信にも用いられる。
【００４６】
即ち、本実施例によるタイミングコントローラー４００は、ＲＧＢデータを受信することができるソースドライブＩＣに前記ＷＲＧＢを伝送することができる。このために、タイミングコントローラー４００は、入力ＲＧＢデータを入力ＷＲＧＢデータに変更し、入力ＷＲＧＢデータを構成するＷ、Ｒ、Ｇ、Ｂデータの中、何れか一つを０に変換することによって生成されたデータと、０に変換されたデータに対する位置情報を含んでいるＷＲＧＢデータを生成して、ソースドライブＩＣ３００に伝送する。このような本実施例によるタイミングコントローラー４００の細部の構成及び機能については、図４乃至図７を参照して詳細に説明する。
【００４７】
次に、ゲートドライブＩＣ（ＧＤＩＣ#１〜ＧＤＩＣ#４）２００のそれぞれは、タイミングコントローラー４００から生成されたゲート制御信号ＧＣＳを用いて、前記ゲートラインにスキャン信号を供給する。即ち、本実施例に適用されるゲートドライブＩＣ２００では、従来の液晶表示装置に適用されていたゲートドライブＩＣがそのまま適用されることができる。一方、本実施例に適用されるゲートドライブＩＣ２００は、図３に示すように、パネル１００と独立して形成され、様々な方式でパネル１００と電気的に連結可能な形態で構成されることができるが、パネル１００の内に実装されているゲートインパネル（Ｇａｔｅ  Ｉｎ  Ｐａｎｅｌ:ＧＩＰ）方式で構成されることもできる。
【００４８】
最後に、ソースドライブＩＣ３００は、タイミングコントローラー４００から伝送されて来たＷＲＧＢデータをアナログのＷＲＧＢ映像信号に変換し、前記ゲートラインにスキャン信号が供給される１水平期間ごとに１水平ライン分の前記ＷＲＧＢ映像信号を前記データラインに供給する。即ち、ソースドライブＩＣ３００は、ガンマ電圧発生部（未図示）から供給されるガンマ電圧を用いて、前記ＷＲＧＢデータを前記ＷＲＧＢ映像信号に変換した後、前記データラインに出力させる。このために、ソースドライブＩＣ３００は、シフトレジスター部、ラッチ部、デジタルアナログ変換部（ＤＡＣ）４２１、及び出力バッファーを含んでいる。
【００４９】
ソースドライブＩＣ３００は、ＥＰＩ方式のインターフェースを用いて、タイミングコントローラー４００から前記ＷＲＧＢデータを受信する。
【００５０】
ソースドライブＩＣ３００は、従来のＥＰＩ方式を用いた液晶表示装置に適用されていたソースドライブＩＣがそのまま適用されることができる。
【００５１】
ソースドライブＩＣ３００は、タイミングコントローラー４００からＲＧＢデータを受信した後、前記ＲＧＢデータをアナログのＲＧＢ映像信号に変換して前記データラインに供給する機能を奏することもできる。
【００５２】
即ち、ソースドライブＩＣ３００は、タイミングコントローラー４００とＥＰＩ方式のインターフェースを用いて、タイミングコントローラー４００からＲＧＢデータの伝送を受けてパネルに出力する一般的なソースドライブＩＣがそのまま適用されることができる。
【００５３】
従って、ソースドライブＩＣ３００は、タイミングコントローラー４００からＲＧＢデータを受信して出力することもでき、ＷＲＧＢデータを受信して出力することもできる。
【００５４】
図４は、本実施例によるタイミングコントローラーの内部の構成を詳細に示す例示図であり、図３に示すタイミングコントローラーの内部の構成を示す図である。図５は、本実施例によるタイミングコントローラーが入力ＲＧＢデータを変換ＷＲＧＢデータに変換させる方法を説明するための例示図である。図６は、本実施例によるタイミングコントローラーがソースドライブＩＣにＲＧＢデータまたはＷＲＧＢデータを送信するためのタイミングを示す例示図であり、図６の（Ａ）は、ＷＲＧＢデータを送信するためのタイミングを示す例示図であり、図６の（Ｂ）は、ＲＧＢデータを送信するためのタイミングを示す例示図である。図７は、本実施例によるタイミングコントローラーの内部の構成を詳細に示す他の例示図であり、データ整列部４２０及びＥＰＩ送信部４４０の構成を示す図である。
【００５５】
本実施例では、タイミングコントローラーからソースドライブＩＣに、ＲＧＢデータ及びＷＲＧＢデータが同一なフォーマットで伝送されることができるようにしている。従って、一つのソースドライブＩＣは、ＲＧＢデータを用いる液晶表示装置と、ＷＲＧＢデータを用いる液晶表示装置との両方共に使用可能である。
【００５６】
このために、本実施例によるタイミングコントローラー４００は、図４に示すように、前記外部システムから入力ＲＧＢデータを受信するための受信部４１０と、前記入力ＲＧＢを入力ＷＲＧＢデータに変換し、前記入力ＷＲＧＢデータを様々なアルゴリズムを通じて変換させ、前記入力ＷＲＧＢデータを変換ＷＲＧＢデータに変換するためのデータ整列部４２０と、受信部４１０またはデータ整列部４２０から伝送されて来たタイミング信号を用いて、前記ゲート制御信号ＧＣＳ、前記データ制御信号ＤＣＳを生成するための制御信号生成部４３０と、前記変換ＷＲＧＢデータにダミービットを追加させてＷＲＧＢデータを生成した後、前記ＷＲＧＢデータをソースドライブＩＣに出力するためのＥＰＩ送信部４４０と、を含む。
【００５７】
まず、受信部４１０は、前記外部システムから前記入力ＲＧＢデータ及び前記タイミング信号を受信して、前記入力ＲＧＢデータをデータ整列部４２０に伝送する機能を奏する。受信部４１０を通じて受信された前記タイミング信号は、受信部４１０から制御信号生成部４３０に直接に伝送されることもでき、データ整列部４２０を経て制御信号生成部４３０に伝送されることもできる。
【００５８】
前記入力ＲＧＢデータは、ホワイトデータＷ、レッドデータＲ、グリーンデータＧ、ブルーデータＢで構成される。
【００５９】
レッドデータＲ、グリーンデータＧ、ブルーデータＢは、様々なビット数を有することができる。以下では、説明の便宜上、レッドデータＲ、グリーンデータＧ及びブルーデータＢのそれぞれを構成するビット数が１０である場合を一例として本実施例を説明する。
【００６０】
次に、制御信号生成部４３０は、ＥＰＩ方式を用いているタイミングコントローラー４００に適用されている一般的な制御信号生成部４３０が適用可能であるため、これについての詳細な説明は省略する。
【００６１】
次に、データ整列部４２０は、前述のように、前記入力ＲＧＢデータを前記変換ＷＲＧＢデータに変換してＥＰＩ送信部４４０に出力するためのものであり、図７に示すように、前記入力ＲＧＢデータを前記入力ＷＲＧＢデータに変換するための変換部４２１、及び前記入力ＷＲＧＢデータを構成するホワイトデータＷ、レッドデータＲ、グリーンデータＧ、ブルーデータＢの中、何れか一つを０に変換させて、前記ホワイトデータＷ、レッドデータＲ、グリーンデータＧ、ブルーデータＢを構成する総ビット数より少ないビット数を有する変換ＷＲＧＢデータを生成するための整列部４２２を含む。
【００６２】
変換部４２１は、前記入力ＲＧＢデータを前記入力ＷＲＧＢデータに変換させる。即ち、前記入力ＲＧＢデータは、図５の（Ａ）に示すように、レッドデータＲ、グリーンデータＧ、及びブルーデータＢで構成されている。変換部４２１は、前記入力ＲＧＢデータを、図５の（Ｂ）に示すように、ホワイトデータＷ、レッドデータＲ、グリーンデータＧ、及びブルーデータＢで構成されている前記入力ＲＧＢデータに変換させる。
【００６３】
前記入力ＲＧＢデータを前記入力ＷＲＧＢデータに変換させる方法は、現在行われている一般的な方法をそのまま適用可能であるため、これについての詳細な説明は省略する。
【００６４】
整列部４２２は、前記入力ＷＲＧＢデータを構成する前記ホワイトデータＷ、レッドデータＲ、グリーンデータＧ、及びブルーデータＢの中、何れか一つを０に変換させて、その他のデータを前記変換によって新しい値に変換させる。
【００６５】
また、整列部４２２は、０に変換されたデータを示す位置情報を生成する。即ち、前記変換ＷＲＧＢデータは、前記ホワイトデータＷ、レッドデータＲ、グリーンデータＧ、及びブルーデータＢの中、３つのデータに対する情報及び０に変換されたデータに対する情報を含んでいる前記位置情報を含む。
【００６６】
例えば、整列部４２２は、図５の（Ｂ）に示すように、前記入力ＷＲＧＢデータの中、最も小さなグリーンデータを、図５の（Ｃ）に示すように、０に変更することができる。この場合、整列部４２２は、前記グリーンデータＧが０に変換されることと歩調を合わせるために、前記ホワイトデータＷ、レッドデータＲ、及びブルーデータＢの大きさを変換させる。また、整列部４２２は、前記グリーンデータが０に変換されたことを知らせる位置情報を生成する。
【００６７】
前記の内容を表１を参照して具体的に説明すると、以下の通りである。
【００６８】
【表１】
2014066990.tif 000005
【００６９】
第一、整列部４２２は、表１の１行目（ｃａｓｅ＝‘００’に表示されているライン）に記載のように、前記入力ＷＲＧＢデータを構成する前記ホワイトデータＷ、レッドデータＲ、グリーンデータＧ、及びブルーデータＢの中、ホワイトデータＷを０に変換させた後、‘００’値を有する位置情報を生成することができる。即ち、‘００’値を有する位置情報は、レッドデータＲが０になったことを指示する。
【００７０】
第二、整列部４２２は、表１の２行目（ｃａｓｅ＝‘０１’に表示されているライン）に記載のように、前記入力ＷＲＧＢデータを構成する前記ホワイトデータＷ、レッドデータＲ、グリーンデータＧ、及びブルーデータＢの中、レッドデータＲを０に変換させた後、‘０１’値を有する位置情報を生成することができる。即ち、‘０１’値を有する位置情報は、レッドデータＲが０になったことを指示する。
【００７１】
第三、整列部４２２は、表１の３行目（ｃａｓｅ＝‘１０’に表示されているライン）に記載のように、前記入力ＷＲＧＢデータを構成する前記ホワイトデータＷ、レッドデータＲ、グリーンデータＧ、及びブルーデータＢの中、グリーンデータＧを０に変換させた後、‘１０'値を有する位置情報を生成することができる。即ち、‘１０’値を有する位置情報は、グリーンデータＧが０になったことを指示する。
【００７２】
第四、整列部４２２は、表１の４行目（ｃａｓｅ＝‘１１’に表示されているライン）に記載のように、前記入力ＷＲＧＢデータを構成する前記ホワイトデータＷ、レッドデータＲ、グリーンデータＧ、及びブルーデータＢの中、ブルーデータＢを０に変換させた後、‘１１'値を有する位置情報を生成することができる。即ち、‘１１’値を有する位置情報は、ブルーデータＢが０になったことを指示する。
【００７３】
このような変換によって、前記入力ＷＲＧＢデータを構成する前記ホワイトデータＷ、レッドデータＲ、グリーンデータＧ、及びブルーデータＢの中、３つのデータと位置情報のみを含む前記変換ＷＲＧＢデータが生成される。
【００７４】
この場合、前記入力ＷＲＧＢが１０ビットの前記ホワイトデータＷ、１０ビットの前記レッドデータＲ、１０ビットの前記グリーンデータＧ、１０ビットの前記ブルーデータＢを含み、総４０ビットで構成されている場合、前記変換ＷＲＧＢデータは３つのデータに当たる３０ビット及び２ビットの位置情報を含み、総３２ビットで構成される。従って、前記変換ＷＲＧＢデータは前記入力ＷＲＧＢデータより少ないビット数で構成されることができる。
【００７５】
即ち、図７に示すように、１０ビットのＷ、Ｒ、Ｇ、Ｂデータで構成された４０ビットの入力ＷＲＧＢデータが、変換部４２１から整列部４２２に受信されると、整列部４２２は、Ｗ、Ｒ、Ｇ、Ｂデータの中、３つのデータと前記位置情報を含み、３２ビットに変換された変換ＷＲＧＢデータを生成する。この時、整列部４２２は前記入力ＷＲＧＢデータを駆動するデータクロック（Ｄａｔａ  Ｃｌｏｃｋ）によって駆動される。
【００７６】
整列部４２２で変換された３２ビットの前記変換ＷＲＧＢデータは、ＥＰＩ送信部４４０に伝送される。
【００７７】
一方、未図示ではあるが、前記タイミングコントローラーには、変換部４２１または整列部４２２から伝送されて来た前記入力ＷＲＧＢデータ、または前記変換ＷＲＧＢデータを様々な形態に変換させるための構成要素をさらに含むこともできる。
【００７８】
例えば、様々なアルゴリズムを通じて、前記入力ＷＲＧＢデータ、または前記変換ＷＲＧＢデータに対する画質改善工程やイメージを補正する工程、またはノイズを取り除く工程が行われることができる。
【００７９】
このような変換工程は、変換部４２１または整列部４２２で行われることができ、タイミングコントローラー４００の未図示の構成によって行われることもできる。
【００８０】
最後に、ＥＰＩ送信部４４０は、制御信号生成部４３０から伝送されて来たデータ制御信号ＤＣＳ、及びデータ整列部４２０から伝送されて来た３２ビットの前記変換ＷＲＧＢデータを前記ＷＲＧＢデータに変換して前記ソースドライブＩＣに伝送する機能を奏する。
【００８１】
ＥＰＩ送信部４４０は、タイミングコントローラー４００を点対点（Ｐｏｉｎｔ  ｔｏ  Ｐｏｉｎｔ）方式でソースドライブＩＣ（ＳＤＩＣ#１〜ＳＤＩＣ#８）３００のそれぞれと接続させるためのものであって、ソースドライブＩＣ３００とのインターフェースがＥＰＩ方式で行われている。
【００８２】
ＥＰＩ送信部４４０とソースドライブＩＣ３００との間の構成を簡単に要約すると、以下の通りである。
【００８３】
ＥＰＩ送信部４４０とソースドライブＩＣ３００（ＳＤＩＣ#１〜ＳＤＩＣ#８）との間には、データ配線対（ＤＡＴＡ  ＆  ＣＬＫ）、制御配線対（ＳＣＬ/ＳＤＡ）、ロックチェック配線（ＬＣＳ）などの配線が形成される。
【００８４】
前記データ配線対（ＤＡＴＡ  ＆  ＣＬＫ）は、１:１、即ち、点対点（Ｐｏｉｎｔ  ｔｏ  Ｐｏｉｎｔ）方式でＥＰＩ送信部４４０をソースドライブＩＣ３００（ＳＤＩＣ#１〜ＳＤＩＣ#８）のそれぞれに直列連結する。ソースドライブＩＣ３００（ＳＤＩＣ#１〜ＳＤＩＣ#８）のそれぞれは、データ配線対（ＤＡＴＡ  ＆  ＣＬＫ）を通じて入力されるクロックを復元するため、図３に示すように、隣接するソースドライブＩＣ（ＳＤＩＣ#１〜ＳＤＩＣ#８）の間には映像データ（ＲＧＢ）を伝達する配線が不要である。
【００８５】
前記ロックチェック配線（ＬＣＳ）は、ＥＰＩ送信部４４０とソースドライブＩＣ３００との間、及びソースドライブＩＣ３００の相互間にロック信号を伝送するためのものであって、最後のソースドライブＩＣ３００からは前記ロックチェック配線（ＬＣＳ）を通じてロック信号が前記タイミングコントローラーのＥＰＩ送信部４４０に伝送される。
【００８６】
ＥＰＩ送信部４４０は、ソースドライブＩＣ３００（ＳＤＩＣ#１〜ＳＤＩＣ#８）のチップ識別コード（ＣＩＤ）とソースドライブＩＣ３００（ＳＤＩＣ#１〜ＳＤＩＣ#８）の各機能を制御するためのチップ個別制御データを制御配線対（ＳＣＬ/ＳＤＡ）を通じてソースドライブＩＣ３００（ＳＤＩＣ#１〜ＳＤＩＣ#８）に伝送する。
【００８７】
一方、ＥＰＩ送信部４４０は、整列部４２０から伝送されて来た３２ビットの前記変換ＷＲＧＢデータを前記データ配線対を通じてソースドライブＩＣ３００にそれぞれ伝送する。
【００８８】
この時、ＥＰＩ送信部４４０は、３２ビットの前記変換ＷＲＧＢデータをそのまま伝送することもできるが、図６の（Ａ）に示すように、１つのクロックによって伝送される前記変換ＷＲＧＢデータに４ビットのダミービットを追加し、総３６ビットの前記ＷＲＧＢデータを生成してソースドライブＩＣ３００に伝送する。
【００８９】
この場合、ＥＰＩ送信部４４０の最大データ伝送率は、後述する数式４に記載のように、１.２２４Ｇｂｐｓになる。即ち、データクロックの最大周波数が８５ＭＨｚであり、前記ＲＧＢデータ（Ｄａｔａ  ｕｎｉｔ）が３６ビットで構成され、４個のポートを通じて前記ＲＧＢデータが前記ソースドライブＩＣに伝送され、前記ソースドライブＩＣ（ＥＰＩ  ｐｏｒｔ）が１０個である場合、最大データ伝送率は１.２２４Ｇｂｐｓになる。
【００９０】
【数３】
2014066990.tif 000006
【００９１】
このような最大データ伝送率は、ＥＰＩ送信部４４０及びソースドライブＩＣ３００の最大データ伝送率である１.６Ｇｂｐｓの範囲に含まれる。よって、前記ＷＲＧＢデータは前記ソースドライブＩＣに正常に伝送されることができる。
【００９２】
即ち、従来のタイミングコントローラーで、前記ＷＲＧＢデータを前記ソースドライブＩＣに伝送するためには、前記タイミングコントローラーのＥＰＩ送信部のデータ伝送率が、ソースドライブＩＣ３００の最大データ伝送率を超過したが、本実施例による場合、最大データ伝送率が、前述のように、ソースドライブＩＣ３００の最大データ伝送率の範囲に含まれる。
【００９３】
一方、本実施例によるタイミングコントローラー４００は、前述のように、前記ＷＲＧＢデータをソースドライブＩＣ３００の最大データ伝送率の範囲内でソースドライブＩＣ３００に伝送可能であると共に、前記ＲＧＢデータも前記ＷＲＧＢデータのフォーマットと同一な形態でソースドライブＩＣ３００に伝送可能であるという特徴を有している。
【００９４】
即ち、前記タイミングコントローラーが外部システムから入力ＲＧＢデータの入力を受けて、ソースドライブＩＣ３００にＲＧＢデータを伝送する用途に使われる場合、ＥＰＩ送信部４４０は、図６の（Ｂ）に示すように、１つのクロックによって伝送される３０ビットの前記ＲＧＢデータに６ビットのダミービットを追加させて、総３６ビットの前記ＲＧＢデータをソースドライブＩＣ３００に伝送する。
【００９５】
この場合、ＥＰＩ送信部４４０の最大データ伝送率は、後述する数式４に記載のように、１.２２４Ｇｂｐｓになる。即ち、データクロックの最大周波数が８５ＭＨｚであり、前記ＲＧＢデータ（Ｄａｔａ  ｕｎｉｔ）が３６ビットで構成され、４個のポートを通じて前記ＲＧＢデータが前記ソースドライブＩＣに伝送され、前記ソースドライブＩＣ（ＥＰＩ  ｐｏｒｔ）が１０個である場合、最大データ伝送率は、１.２２４Ｇｂｐｓになる。
【００９６】
【数４】
2014066990.tif 000007
【００９７】
このような最大データ伝送率は、ＥＰＩ送信部４４０及びソースドライブＩＣ３００の最大データ伝送率である１.６Ｇｂｐｓの範囲に含まれるだけでなく、数式３のように、前記ＷＲＧＢデータをソースドライブＩＣ３００に伝送するのに要求される最大データ伝送率と同一である。
【００９８】
また、前記ＲＧＢデータを伝送する時のデータフォーマット（３６ビット）と、前記ＷＲＧＢデータを伝送する時のデータフォーマット（３６ビット）が同一である。
【００９９】
従って、ＥＰＩ送信部４４０は、前記ＷＲＧＢデータをソースドライブＩＣ３００に伝送する時だけではなく、前記ＲＧＢデータをソースドライブＩＣ３００に伝送する時にも用いられることができる。即ち、本実施例によるタイミングコントローラー４００は、前記ＷＲＧＢデータと前記ＲＧＢデータとの両方共を同一なフォーマットでソースドライブＩＣ３００に伝送することができる。
【０１００】
これにより、ソースドライブＩＣ３００は、前記ＷＲＧＢデータを受信して前記パネルに出力することもでき、前記ＲＧＢデータを受信して前記パネルに出力することもできる。
【０１０１】
従って、タイミングコントローラー４００とソースドライブＩＣ３００は、ＷＲＧＢデータを用いて映像を出力する液晶表示装置、及びＲＧＢデータを用いて映像を出力する液晶表示装置で共用されることができる。
【０１０２】
一方、ＥＰＩ送信部４４０は、図７に示すように、整列部４２２から伝送されて来た前記ＷＲＧＢデータを、図６に示すようなフォーマットに変更させるためのフォーマット部４４１、及びフォーマット部４４１から伝送されて来た前記ＷＲＧＢデータを、ソースドライブＩＣ３００とＥＰＩ方式で伝送可能な送信部４４２で構成されることができる。
【０１０３】
即ち、このような本実施例は、ＲＧＢデータ及びＷＲＧＢデータに共用可能なインターフェースを提供することができるという特徴を有している。付け加えると、本実施例は、ＷＲＧＢデータの伝送時、データの手順の配列及び場合の数を適用して、ＷＲＧＢデータ及びＲＧＢデータを同一なフォーマットで送受信することができるという特徴を有している。
【０１０４】
また、本実施例は、従来の技術に比べて、データ伝送率を低減させることができ、ＷＲＧＢデータを分割伝送する必要がない。
【０１０５】
本発明の属する技術の分野における当業者には、本発明がその技術的思想や必須特徴から逸脱することなく他の形態に具体化可能であるということが理解されるであろう。したがって、以上に記述した実施例はいずれの面においても例示的なもので、限定的なものとして解釈してはならない。本発明の範囲は、上記の詳細な説明に限定されず、添付の特許請求の範囲によって定められ、よって、特許請求の範囲及びその同等範囲から導出される変更または変形はいずれも、本発明の範囲に含まれるものと理解すべきである。
【符号の説明】
【０１０６】
１００    パネル
２００    ゲートドライブＩＣ
３００    ソースドライブＩＣ
４００    タイミングコントローラー
４１０    受信部
４２０    データ整列部
４３０    制御信号生成部
４４０    ＥＰＩ送信部
【図１】
2014066990.tif 000008
【図２】
2014066990.tif 000009
【図３】
2014066990.tif 000010
【図４】
2014066990.tif 000011
【図５】
2014066990.tif 000012
【図６】
2014066990.tif 000013
【図７】
2014066990.tif 000014